(57)【要約】【課題】部品数が少なく軽量で、容易な操作で布団類干しとして使用することができ、且つ、２枚の布団類を好適に干すことができるすのこベッドを提供する。【解決手段】脚部１１と支持枠１０を有する支持台２と、支持台の上に傾斜自在に載置される一対のすのこ状の敷板３と、を備え、敷板は、支持枠の上面に載置される一対の縦材２１と、縦材に架設される複数の横板２２と、縦材に回動自在に設けられて傾斜した敷板を支える回転支持体２５と、を有し、側面視Ｘ字状に展開可能であり、回転支持体は、縦材に対して回動自在に軸支される一対の支柱２６と、支柱の端部近傍に架設されて敷板の上面を構成する上部横板２７及び下部横板２８と、を有し、支持台は、支持枠に架設される複数の桟部材１２を有し、桟部材は、敷板が平らになった状態で横板に当接して横板を支え、敷板が傾斜した状態で下部横板に当接して回転支持体を支える。【選択図】図２
2018047012.tif 000002
【特許請求の範囲】
【請求項１】
脚部とその上部に固定された支持枠とを有する支持台と、
前記支持台の上に傾斜自在に載置される一対のすのこ状の敷板と、を備えるすのこベッドであって、
前記敷板は、前記すのこベッドの長手方向に延在して前記支持枠の上面に載置される一対の縦材と、一対の前記縦材に架設されて前記すのこベッドの短手方向に延在する複数の横板と、前記縦材に回動自在に設けられて前記敷板が傾斜した状態において前記敷板を支える回転支持体と、を有し、側面視Ｘ字状に展開可能であり、
前記回転支持体は、一対の前記縦材に対してそれぞれ回動自在に軸支されて前記縦材に沿って配置される一対の支柱と、一対の前記支柱の前記敷板が傾斜した状態において上方になる端部近傍に架設されて前記敷板が平らになった状態において前記横板と共に前記敷板の上面を構成する上部横板と、一対の前記支柱の前記敷板が傾斜した状態において下方になる端部近傍に架設されて前記敷板が平らになった状態において前記横板と共に前記敷板の上面を構成する下部横板と、を有し、
前記支持台は、前記支持枠に架設されて前記すのこベッドの長手方向に延在する複数の桟部材を有し、
前記桟部材は、前記敷板が平らになった状態において前記横板の下面に当接して前記横板を支え、前記敷板が傾斜した状態において前記下部横板に当接して前記回転支持体を支えることを特徴とするすのこベッド。
【請求項２】
前記支持台には、前記縦材の前記敷板が傾斜した状態において下方になる端部近傍を回動自在且つ着脱自在に支持する軸支持部が設けられており、
前記桟部材には、前記敷板が傾斜した状態において前記下部横板に係合して前記回転支持体を支える凹部が形成されていることを特徴とする請求項１に記載のすのこベッド。
【請求項３】
前記支持枠には、前記敷板が平らになった状態において前記支柱の前記下部横板近傍に当接して前記回転支持体を支持する支持部材が設けられていることを特徴とする請求項１または請求項２に記載のすのこベッド。
【発明の詳細な説明】
【技術分野】
【０００１】
本発明は、すのこベッドに関し、特に、すのこ状の敷板を起立させて布団類干し等として利用することができるすのこベッドに関する。
【背景技術】
【０００２】
従来、この種のすのこベッドとして、例えば、特許文献１に開示されたすのこベッドが知られている。同文献のすのこベッドでは、ベッド本体の支持部材上に載置されるすのこ状床板は、ヒンジで連結されて中央部で逆Ｖ字状に折り曲げ可能に構成されている。また、ベッド本体の外側板に固設されてすのこ状床板を支える支持部材には、逆Ｖ字状に折り曲げられたすのこ状床板の前後桟を引っ掛けるためのＶ字溝が形成されている。このような構成により、逆Ｖ字状に折り曲げられたすのこ状床板の頂部に布団等を掛けることができる。
【０００３】
また例えば、特許文献２には、結合して使用される２個一対のすのこ状敷板を有する布団類干し兼用敷布団敷き板装置が開示されている。同文献に記載されたすのこ状敷板は、敷板本体と当該敷板本体を自立可能に支える回転体とを有し、敷板本体を回転体で自立可能に支えた場合に回転体と敷板本体が側面視略Ｘ字状を成す。これにより、敷板本体の上端部と回転体の上端部で布団類を支えることができる。
【先行技術文献】
【特許文献】
【０００４】
【特許文献１】特開２００５−５２６１６号公報
【特許文献２】特開２０１１−１０２４８１号公報
【発明の概要】
【発明が解決しようとする課題】
【０００５】
しかしながら、特許文献１に開示された従来技術のように、すのこ状床板を中央部で側面視逆Ｖ字状に折り曲げて立てる方式では、１枚の布団類によってすのこ状床板が覆われてしまうので、複数枚の布団類を干すことが難しかった。
【０００６】
また、折り曲げられたすのこ状床板の頂部は鋭角状になるので、その上に掛けられる布団類は２つ折りにされることになる。そのため、布団類の折り曲げ部近傍では風通しが悪くなり湿気が残るという問題点もある。
【０００７】
また、２つ折りにされた布団類は、すのこ状床板の鋭角状に折り曲げられた頂部で支えられることになるので、布団類の中綿が偏るという問題点や布団類が傷むという問題点もある。また、逆Ｖ字状に起立するすのこ状床板では、枕等を載せることも難しかった。
【０００８】
また、上記した従来技術のすのこ状床板では、すのこ状床板の周縁に縁部材が設けられると共に、すのこ板に直交するよう複数本の補強材が配設固定されている。そのため、すのこ状床板を構成する部材が多く、すのこ状床板が重くなり、布団類を干すためにすのこ状床板を引き上げて起立させる作業が容易ではなかった。
【０００９】
また、特許文献２に開示された布団類干し兼用敷布団敷き板装置は、床面に配置されて自立する構成であり、脚部を備えるベッドの支持台上に設置されるものではなかった。同文献のすのこ状敷板をベッドの支持台上に配置するためには、ベッドの支持台に、敷板本体及び回転体にそれぞれ設けられた複数本の縦板を支えるための支持部材を設ける必要がある。
【００１０】
また、布団類を干すために側面視Ｘ字状に立設されるすのこ状敷板を支えるためには、展開された回転体の下端部を支えるための支持部材をベッドの支持台に設ける必要がある。そのため、ベッドの構成が複雑になり、ベッドを構成する部材が多くなるという問題点がある。
【００１１】
本発明は、上記の事情に鑑みてなされたものであり、その目的とするところは、部品数が少なく軽量で、容易な操作で布団類干しとして使用することができ、且つ、２枚の布団類を好適に干すことができるすのこベッドを提供することにある。
【課題を解決するための手段】
【００１２】
本発明のすのこベッドは、脚部とその上部に固定された支持枠とを有する支持台と、前記支持台の上に傾斜自在に載置される一対のすのこ状の敷板と、を備えるすのこベッドであって、前記敷板は、前記すのこベッドの長手方向に延在して前記支持枠の上面に載置される一対の縦材と、一対の前記縦材に架設されて前記すのこベッドの短手方向に延在する複数の横板と、前記縦材に回動自在に設けられて前記敷板が傾斜した状態において前記敷板を支える回転支持体と、を有し、側面視Ｘ字状に展開可能であり、前記回転支持体は、一対の前記縦材に対してそれぞれ回動自在に軸支されて前記縦材に沿って配置される一対の支柱と、一対の前記支柱の前記敷板が傾斜した状態において上方になる端部近傍に架設されて前記敷板が平らになった状態において前記横板と共に前記敷板の上面を構成する上部横板と、一対の前記支柱の前記敷板が傾斜した状態において下方になる端部近傍に架設されて前記敷板が平らになった状態において前記横板と共に前記敷板の上面を構成する下部横板と、を有し、前記支持台は、前記支持枠に架設されて前記すのこベッドの長手方向に延在する複数の桟部材を有し、前記桟部材は、前記敷板が平らになった状態において前記横板の下面に当接して前記横板を支え、前記敷板が傾斜した状態において前記下部横板に当接して前記回転支持体を支えることを特徴とする。
【発明の効果】
【００１３】
本発明のすのこベッドによれば、脚部及びその上部に固定された支持枠を有する支持台と、前記支持台の上に傾斜自在に載置される一対のすのこ状の敷板と、を備える。前記敷板は、すのこベッドの長手方向に延在して前記支持枠の上面に載置される一対の縦材と、一対の前記縦材に架設されてすのこベッドの短手方向に延在する複数の横板と、前記縦材に回動自在に設けられて前記敷板が傾斜した状態において前記敷板を支える回転支持体と、を有し、側面視略Ｘ字状に展開可能である。このように、一対の敷板がそれぞれ傾斜して側面視略Ｘ字状に展開して回転支持体で支えられることにより、展開して自立した２つの敷板の上にそれぞれ布団類を載せることができ、２枚の布団類を同時に干すことができる。
【００１４】
また、敷板が側面視略Ｘ字状に展開する構成により、起立した敷板の上に掛けられる布団類は、敷板本体の上端部近傍と、回転支持体の上端部近傍と、の２か所で支えられることになる。これにより、敷板の上端部近傍において布団類の下方へ空気が流れ易くなり、湿気の残りを抑えて布団類を好適に干すことができる。
【００１５】
また、敷板が略Ｘ字状に展開して、敷板本体の上端部近傍と、回転支持体の上端部近傍と、の２か所で布団類を支える構成により、布団類の中綿の偏りが抑えられ、布団類の傷みを軽減することができる。また、展開された敷板の上端部近傍の横板と回転支持体との間に、枕等を載せることも可能となる。
【００１６】
また、前記回転支持体は、一対の前記縦材に対してそれぞれ回動自在に軸支されて前記縦材に沿って配置される一対の支柱と、一対の前記支柱の前記敷板が傾斜した状態において上方になる端部近傍に架設される上部横板と、一対の前記支柱の前記敷板が傾斜した状態において下方になる端部近傍に架設される下部横板と、を有する。即ち、回転支持体を構成する一対の支柱は、上端近傍において上部横板によって互いに連結されて固定され、下端近傍において下部横板によって連結され固定される。これにより、回転支持体の剛性が高められ、敷板が起立した状態において、敷板及びその上に載せられる布団類を安定的に支えることができる。
【００１７】
また、一対の支柱が上部横板及び下部横板で連結されることにより、２つの支柱は連動することになる。これにより、回転支持体を回動させて敷板を展開する作業及び平らな状態に戻す作業を容易に行うことができる。
【００１８】
また、前記上部横板及び前記下部横板は、前記敷板が平らになった状態において前記横板と共に前記敷板の上面を構成する。即ち、上部横板及び下部横板は、回転支持体の支柱を支持する補強部材としての機能と、敷板が平らにされた状態において布団類が載置される敷板の上面としての機能と、を併せ持つ。これにより、敷板を構成する部材を少なく抑えることができる。
【００１９】
また、前記支持台は、前記支持枠に架設されて前記すのこベッドの長手方向に延在する複数の桟部材を有し、前記桟部材は、前記敷板が平らになった状態において前記横板の下面に当接して前記横板を支える。このように支持台の桟部材が敷板の横板を支える構成により、敷板を構成する部材を減らして軽量化を図りつつ敷板の強度を確保することができる。敷板が軽くなることにより、敷板を立てる作業及び平らにする作業が容易になる。
【００２０】
また、前記桟部材は、前記敷板が傾斜した状態において前記下部横板に当接して前記回転支持体を支える。即ち、桟部材は、敷板が平らにされた状態においては横板を支える補強部材として機能し、敷板が立てられた状態においては回転支持体を支える強度部材として機能する。これにより、すのこベッドを構成する部材の数を少なくすることができる。
【００２１】
また、本発明のすのこベッドによれは、前記支持台には、前記縦材の前記敷板が傾斜した状態において下方になる端部近傍を回動自在且つ着脱自在に支持する軸支持部が設けられても良い。これにより、軸支持部を中心として敷板を回動させることができ、敷板を傾斜させる作業が容易になる。また、必要に応じて敷板を取り外すこともできるので、利便性が向上する。
【００２２】
また、前記桟部材には、前記敷板が傾斜した状態において前記下部横板に係合して前記回転支持体を支える凹部が形成されても良い。これにより、敷板を起立させる際の回転支持体の位置決めが容易になり所定の角度で敷板を傾斜させることができると共に、凹部によって回転支持体と桟部材との滑りを抑制することができ、布団類の荷重を安定的に支えることができる。
【００２３】
また、本発明のすのこベッドによれは、前記支持枠には、前記敷板が平らになった状態において前記支柱の前記下部横板近傍に当接して前記回転支持体を支持する支持部材が設けられても良い。これにより、敷板が平らにされて通常のベッドとして使用される場合において、支持部材で回転支持体の回動や撓みを抑えて、布団類が載置された下部横板が下がってしまうことを抑制することができる。よって、下部横板について、布団類が載置される敷板の上面としての機能を確保することができ、布団類や使用者等の荷重を好適に支えることができる。
【図面の簡単な説明】
【００２４】
【図１】本発明の実施形態に係るすのこベッドの概略を示す透視図である。
【図２】本発明の実施形態に係るすのこベッドの２枚の敷板を起立させた状態を示す透視図である。
【図３】本発明の実施形態に係るすのこベッドの１枚の敷板を起立させた状態を示す透視図である。
【図４】本発明の実施形態に係るすのこベッドの支持台を示す透視図である。
【図５】本発明の実施形態に係るすのこベッドの軸支持部付近を拡大して示す側面図である。
【図６】本発明の実施形態に係るすのこベッドの下部横板及び凹部付近を拡大して示す透視図である。
【図７】本発明の実施形態に係るすのこベッドの脚部及び支持部材付近を拡大して示す透視図である。
【図８】本発明の実施形態に係るすのこベッドの下部横板の短辺付近を拡大して示す透視図である。
【図９】本発明の実施形態に係るすのこベッドの（Ａ）最上段の横板及び上部横板の角部付近を拡大して示す平面図、（Ｂ）上部横板の角部付近を拡大して示す透視図、である。
【発明を実施するための形態】
【００２５】
以下、本発明の実施形態に係るすのこベッドを図面に基づき詳細に説明する。
図１は、本発明の実施形態に係るすのこベッド１の概略を示す透視図である。図１に示すように、すのこベッド１は、上面に布団類等が敷かれて用いられるベッドであり、支持台２と、その上方に載置されるすのこ状の敷板３と、を備える。
【００２６】
支持台２は、すのこベッド１の長手方向に並ぶように２つ設けられる。２つの支持台２は、それぞれ４隅部近傍に床面に置かれてすのこベッド１を支える脚部１１を有し、床面から離れて脚部１１の上部に支持枠１０が固定されている。そして、支持台２の支持枠１０の上に、敷板３が載置される。
【００２７】
敷板３は、２つの支持台に対応して、すのこベッド１の長手方向に並べて２つ設けられる。それぞれの敷板３には、すのこベッド１の短手方向に延在する複数の横板２２が設けられている。横板２２は、略矩形板状の形態を成し、横板２２によって、すのこベッド１の布団類等が載置される上面が構成される。
【００２８】
すのこベッド１を構成する各部材の材質としては、特に限定されるものではないが、本実施形態に係るすのこベッド１では、木材が用いられている。すのこベッド１の材質として、例えば、桐材等は、軽量で湿気対策に適しており、また、檜材等は、防虫効果や芳香作用が期待できるので好ましい。
【００２９】
図２は、すのこベッド１の２枚の敷板３を起立させた状態を示す透視図である。図２に示すように、２枚の敷板３は、それぞれ支持台２の上方で傾斜自在であり、且つ、傾斜した状態で自立可能である。
【００３０】
敷板３は、すのこベッド１の長手方向に延在して支持枠１０の上面に載置される一対の縦材２１を有し、一対の縦材２１に、すのこベッド１の上面を構成する複数の横板２２が架設されている。
【００３１】
支持台２には、敷板３が傾斜した状態において下方になる縦材２１の端部近傍を回動自在且つ着脱自在に支持する軸支持部１５が設けられている。詳細については、図５を参照して後述する。
【００３２】
また、敷板３は、縦材２１に回動自在に設けられて敷板３が傾斜した状態において敷板３を支える回転支持体２５を有する。回転支持体２５が敷板３の本体に対して回動することにより、敷板３の本体と回転支持体２５は、側面視略Ｘ字状に展開可能である。上方に起こされて傾斜し展開した敷板３は、敷板３本体の下端部と回転支持体２５の下端部が支持台２に支持されて自立する。
【００３３】
このように、一対の敷板３がそれぞれ傾斜して側面視略Ｘ字状に展開して回転支持体２５で支えられることにより、展開して自立した２つの敷板３の上にそれぞれ布団類を載せることができ、２枚の布団類を同時に干すことができる。
【００３４】
また、敷板３が側面視略Ｘ字状に展開する構成により、起立した敷板３の上に掛けられる布団類は、敷板３本体の上端部近傍と、回転支持体２５の上端部近傍と、の２か所で支えられることになる。これにより、敷板３の上端部近傍において布団類の下方へ空気が流れ易くなり、湿気の残りを抑えて布団類を好適に干すことができる。
【００３５】
また、敷板３が側面視略Ｘ字状に展開して、敷板３本体の上端部近傍と、回転支持体２５の上端部近傍と、の２か所で布団類を支える構成により、布団類の中綿の偏りが抑えられ、布団類の傷みを軽減することができる。また、展開された敷板３の上端部近傍の横板２２と回転支持体２５との間に、枕等を載せることも可能となる。
【００３６】
回転支持体２５は、敷板３本体の一対の縦材２１に対してそれぞれ回動自在に軸支されて縦材２１に沿って配置される一対の支柱２６と、一対の支柱２６の敷板３が傾斜した状態において上方になる端部近傍に架設される上部横板２７と、一対の支柱２６の敷板３が傾斜した状態において下方になる端部近傍に架設される下部横板２８と、を有する。
【００３７】
即ち、回転支持体２５を構成する一対の支柱２６は、上端近傍において上部横板２７によって互いに連結されて固定され、下端近傍において下部横板２８によって連結され固定される。これにより、回転支持体２５の剛性が高められ、敷板３が起立した状態において、敷板３及びその上に載せられる布団類を安定的に支えることができる。
【００３８】
また、一対の支柱２６が上部横板２７及び下部横板２８で連結されることにより、２つの支柱２６は連動することになる。これにより、回転支持体２５を回動させて敷板３を展開する作業及び平らな状態に戻す作業を容易に行うことができる。
【００３９】
また、上部横板２７及び下部横板２８は、図１に示す如く敷板３が平らになった状態において、敷板３本体の横板２２と共に敷板３の上面を構成する。つまり、敷板３が平らにされた状態において、横板２２、上部横板２７及び下部横板２８の上面は、略面一になり、すのこベッド１の布団類が敷かれる上面となる。
【００４０】
換言すれば、上部横板２７及び下部横板２８は、回転支持体２５の支柱２６を支持する補強部材としての機能と、敷板３が平らにされた状態において布団類が載置される敷板３の上面としての機能と、を併せ持つ。これにより、敷板３を構成する部材を少なく抑えることができる。
【００４１】
図３は、すのこベッド１の１枚の敷板３を起立させた状態を示す透視図である。図３に示すように、すのこベッド１の２枚の敷板３は、それぞれ独立して傾斜可能であり、一方の敷板３のみを傾斜させて自立させることもできる。
【００４２】
このように一方の敷板３のみを傾斜させることにより、傾斜自立した敷板３を背もたれとして利用し、すのこベッド１をリクライニングベッドやソファーとして用いることができる。
【００４３】
図４は、すのこベッド１の支持台２を示す透視図である。図４に示すように、支持台２は、支持枠１０に架設されてすのこベッド１の長手方向に延在する複数の桟部材１２を有する。桟部材１２は、図１に示す如く敷板３が平らになった状態において横板２２の下面に当接して横板２２を支える。
【００４４】
このように支持台２の桟部材１２が敷板３の横板２２を支える構成を採用することにより、図２に示すように敷板３の横板２２を固定する縦材２１が２本のみであっても、敷板３の上面に敷かれる布団類やその上に横たわる使用者を支えることができる。即ち、敷板３を構成する部材を減らして軽量化を図りつつ敷板３の強度を確保することができる。敷板３が軽くなることにより、敷板３を立てる作業及び平らにする作業が容易になる。
【００４５】
また、桟部材１２は、敷板３が傾斜した状態において回転支持体２５の下端部となる下部横板２８の下端部に当接して回転支持体２５を支える。即ち、桟部材１２は、図１に示す如く敷板３が平らにされた状態においては横板２２を支える補強部材として機能し、図２若しくは図３に示す如く敷板３が立てられた状態においては回転支持体２５を支える強度部材として機能する。これにより、すのこベッド１を構成する部材の数を少なくすることができる。
【００４６】
なお、前述のとおり、すのこベッド１は、２つの支持台２を有する。２つの支持台は、並設されて、例えば、ボルト及びナット等の締結部品によって分解可能に締結固定されている。このように、２つの支持台２を分離可能に連結して用いることにより、支持台２の輸送や不使用時の収納等が容易になるというメリットがある。
【００４７】
また、すのこベッド１の長手方向の略中央に一側面あたり２本の脚部１１が配置されることになるので、すのこベッド１の強度が向上し、布団類や使用者等の荷重によるすのこベッド１の撓みを小さく抑えることができる。
【００４８】
また、２つの支持台２を連結する方式は、１つの大きな支持台を採用する場合と比べると、支持台２を構成する部材が短くなって材料取りが容易になり、歩留まりが向上し、材料コストを低減できるという点においても優れている。
【００４９】
図５は、図２に示すＡ部近傍を拡大して示す側面図であり、すのこベッド１の軸支持部１５付近を拡大して示している。図５に示すように、支持台２には、縦材２１の敷板３が傾斜した状態において下方になる端部近傍を回動自在且つ着脱自在に支持する軸支持部１５が設けられている。
【００５０】
軸支持部１５は、略矩形板状の形態を成し、支持台２の支持枠１０の角部近傍側面に固定されている。軸支持部１５には、上方に向かって開放される略Ｕ字状の軸受溝１６が形成されており、軸受溝１６には、敷板３の縦材２１に設けられた軸部２４が回動自在に、且つ、取り外し自在に嵌め込まれる。
【００５１】
このような構成により、軸支持部１５に嵌め込まれた軸部２４を中心として敷板３を回動させることができ、敷板３を傾斜させる作業が容易になる。また例えば、すのこベッド１が置かれた床面を掃除する際等、必要に応じて支持台２から敷板３を容易に取り外すことができる。
【００５２】
図６は、すのこベッド１の下部横板２８及び桟部材１２に形成された凹部１７付近を拡大して示す透視図である。図６に示すように、支持台２の桟部材１２には、敷板３が傾斜した状態において下部横板２８に係合して回転支持体２５を支える凹部１７が形成されても良い。凹部１７は、上方に開放される略コ字状若しくは略Ｕ字状の凹溝である。
【００５３】
このように、回転支持体２５の下部横板２８が凹部１７に係合することにより、敷板３を起立させる際の回転支持体２５の位置決めが容易になり、所定の角度で敷板３を傾斜させることができる。また、凹部１７によって回転支持体２５と桟部材１２との滑りが抑制されるので、立設された敷板３の上に載せられる布団類の荷重を安定的に支えることができる。
【００５４】
また、図４に示すように、凹部１７は、桟部材１２の上面にそれぞれ２カ所以上形成されても良い。これにより、図６に示す下部横板２８を係合させる凹部１７を変えることによって、敷板３の傾きを変更することができ、例えば、敷板３を背もたれ等に利用する場合、使用者の好みに応じた所望の傾斜角を容易に得ることができる。
【００５５】
図７は、図２に示すＢ部近傍を拡大して示す透視図であり、すのこベッド１の脚部１１及び支持部材１４付近を拡大して示している。図７に示すように、支持枠１０の４隅の角部近傍には、支持枠１０を支える脚部１１が設けられる。
【００５６】
脚部１１は、床面に対して略垂直に立てられる略角柱状の部材であり、支持枠１０の下面及び内側面に当接するよう配置され、例えば、蝶ボルト１９等の締結部材を用いて支持枠１０に締結固定される。脚部１１と支持枠１０との固定に蝶ボルト１９を用いることにより、特別な工具等を必要とせずに支持台２を組み立てることができる。また、支持枠１０から脚部１１を取り外す作業も容易である。
【００５７】
支持枠１０の内側面には、脚部１１に隣接して、脚押さえ１３が固定されている。脚押さえ１３は、略矩形板状の部材であり、脚部１１の側面に当接するガイド面を有する。脚押さえ１３は、脚部１１を支持枠１０に取り付ける際の位置決めとなり、これにより、支持台２の組み立てが容易になる。また、脚押さえ１３は、脚部１１の側面に当接して脚部１１の傾きを規制する支持機能を有する。これにより、脚部１１の傾きが抑えられ、支持台２の強度が向上する。
【００５８】
支持台２の支持枠１０には、敷板３が平らになった状態において回転支持体２５を支える支持部材１４が設けられている。支持部材１４は、略矩形板状の部材であり、支持枠１０の内側面に固定されている。詳しくは、支持部材１４は、支持枠１０の角部近傍であって敷板３が平らになった状態において回転支持体２５の下部横板２８（図２参照）の下方になる位置に設けられる。
【００５９】
図８は、すのこベッド１の下部横板２８の短辺付近を拡大して示す透視図であり、敷板３が平らにされた状態を示している。図８に示すように、支持台２に設けられた支持部材１４は、敷板３が平らになった状態において下部横板２８の端辺近傍の支柱２６の下面に当接して回転支持体２５を下方から支持する。
【００６０】
これにより、敷板３が平らにされて通常のベッドとして使用される場合において、支持部材１４で回転支持体２５の回動や撓みを抑えて、布団類が載置された下部横板２８の短辺付近が下がってしまうことを抑制することができる。よって、下部横板２８は、布団類が載置される敷板３の上面として機能する際、布団類や使用者等の荷重を好適に支えることができる。
【００６１】
また、敷板３が平らにされた状態において回転支持体２５の下部横板２８の近傍となる縦材２１の上面側には、補助横板２３が固定されている。補助横板２３は、略矩形板状の部材であり、その幅は、縦材２１の幅と略同じ、長さは、下部横板２８の幅と略同じ、厚み寸法は、下部横板２８の厚みと略同じである。補助横板２３は、敷板３が平らにされた状態において、下部横板２８の延在方向に並ぶよう配置され、補助横板２３の上面は、下部横板２８の上面やその他の横板２２の上面と略面一になる。
【００６２】
上記のように構成される補助横板２３によれば、回転支持体２５を回動可能とするために敷板３本体の横板２２よりも短く形成される下部横板２８の短辺付近においても、布団類を安定的に支えることができる。
【００６３】
図９（Ａ）は、最上段の横板２２の角部２２ａ及び上部横板２７の角部２７ａ付近を拡大して示す平面図であり、図９（Ｂ）は、図２に示すＣ部近傍を拡大して示す透視図であり、敷板３が展開された状態の上部横板２７の角部２７ａ付近を示している。
【００６４】
図９（Ａ）に示すように、敷板３が傾斜した状態において最上段になる横板２２の上方の角部２２ａは、他の横板２２の角部２２ｂよりも大きな半径で丸み付け面取りが施されている。また、回転支持体２５の上部横板２７の、敷板３が傾斜した状態において上方になる角部２７ａも、他の横板２２の角部２２ｂよりも大きな半径で丸み付けされている。
【００６５】
また、図９（Ｂ）に示すように、回転支持体２５の支柱２６の敷板３が傾斜した状態において上方になる角部２６ａにも、丸み付け面取りが施されている。更に、図面には表れないが、敷板３を構成する一対の縦材２１についても、敷板３が傾斜した状態において上方になる端部の下面側の角部が曲面状に丸み付けされている。
【００６６】
このように、敷板３が傾斜した状態において敷板３の上端部近傍を構成する横板２２の角部２２ａ、上部横板２７の角部２７ａ、縦材２１の角部及び支柱２６の角部２６ａに丸み付け面取りが施されることにより、起立した敷板３の上に載せられる布団類等の損傷を軽減することができる。
【００６７】
なお、本発明は、上記実施形態に限定されるものではなく、その他、本発明の要旨を逸脱しない範囲で、種々の変更実施が可能である。
【符号の説明】
【００６８】
１      すのこベッド
２      支持台
３      敷板
１０    支持枠
１１    脚部
１２    桟部材
１３    脚押さえ
１４    支持部材
１５    軸支持部
１６    軸受溝
１７    凹部
２１    縦材
２２    横板
２３    補助横板
２４    軸部
２５    回転支持体
２６    支柱
２７    上部横板
２８    下部横板
【図１】
2018047012.tif 000003
【図２】
2018047012.tif 000004
【図３】
2018047012.tif 000005
【図４】
2018047012.tif 000006
【図５】
2018047012.tif 000007
【図６】
2018047012.tif 000008
【図７】
2018047012.tif 000009
【図８】
2018047012.tif 000010
【図９】
2018047012.tif 000011